(57)【特許請求の範囲】
【請求項１】
有底のます本体の周壁部に雨水の流入側接続部と、この流入側接続部と対向する周壁部に雨水の流出側接続部とが設けられ、上記ます本体のの両接続部の下方の周壁には多数の排水孔を有する泥溜め部が形成され、又、ます本体の内側に周壁に多数の排水孔を有する有底の内かごが上方の開口より出し入れ可能に挿通されて設けられた雨水浸透ますにおいて、上記ます本体の排水孔と内かごの排水孔の直径は下方側が小さく、上方にいくに従って徐々に大きくなり、且つ、ます本体の排水孔と内かごの排水孔とは、下方側が互いにずれた位置に配設され、上方側が重なる位置に配設されていることを特徴とする雨水浸透ます。
【発明の詳細な説明】
【０００１】
【発明の属する技術分野】
本発明は、宅地内や歩道・車道等に設置される雨水浸透ますに関する。
【０００２】
【従来の技術】
近年、都市化の推進に伴って建物の屋根面積の増大や、道路の舗装化により、雨水の土中への浸透が阻害され、雨水の流出が激増し、河川の氾濫の問題が重要視されている。又、地下水の枯渇により遊水がなくなるなど自然環境面でも問題視されている。
【０００３】
上記の問題点を解消する施策の一貫として、雨水の流出防止や地下水涵養のために、雨水を地中に浸透させる雨水浸透ますが注目されるようになってきた。
この雨水浸透ますの例としては、実開平５−４２３８２号公報に記載られた雨水浸透ますが上げられる。
この雨水浸透ますの構造は、多数の排水孔を有する泥溜め部が形成されたます本体と、このます本体内に収容される多数の排水孔を有する泥受けと、この泥受けの内部に設けられたフィルター袋とにより構成されている。
【０００４】
【発明が解決しようとする課題】
しかしながら、上記実開平５−４２３８２号公報に記載られた雨水浸透ますの場合には、その構造が、泥溜めと排出される雨水の周辺地中への浸透を同時に作用させるように考えているため、雨水を地中に浸透させる排水孔を通して、雨水に含まれる泥やゴミも一緒に地中に流出してゆくため、周囲の土壌の雨水の浸透経路が目詰まりを起こし、雨水の浸透性能が経時とともに低下してゆくといった問題、即ち、雨水の地中への長期的な浸透性能の維持が期待されないといった問題がある。
【０００５】
本発明は、上記のこのような問題点に着眼してなされたものであり、その目的とするところは、これらの問題点を解消し、雨水の地中への長期的な浸透性能の維持が期待できる雨水浸透ますを提供するものである。
【０００６】
【課題を解決するための手段】
本発明の雨水浸透ますにおいては、有底のます本体の周壁部に雨水の流入側接続部と、この流入側接続部と対向する周壁部に雨水の流出側接続部とが設けられ、上記ます本体のの両接続部の下方の周壁には多数の排水孔を有する泥溜め部が形成され、又、ます本体の内側に周壁に多数の排水孔を有する有底の内かごが上方より出し入れ可能に挿通されて設けられた雨水浸透ますにおいて、上記ます本体の排水孔と内かごの排水孔の直径は下方側が小さく、上方にいくに従って徐々大きくなり、且つ、ます本体の排水孔と内かごの排水孔とは、下方側が互いにずれた位置に配設され、上方側が重なる位置に配設されていることを特徴とする。
【０００７】
【作用】
本発明の雨水浸透ますにおいては、ます本体の排水孔と内かごの排水孔の直径は下方側が小さく、上方にいくに従って徐々に大きくなり、且つ、ます本体の排水孔と内かごの排水孔とは、下方側が互いにずれた位置に配設され、上方側が重なる位置に配設されているので、雨水と一緒に流入した泥やゴミは内かご及び升本体の周壁部に堰き止められて直接地中に排出されにくくなる。
従って、ます本体の泥溜め部の下部にはほぼ確実に泥やゴミが集積され、上澄水が上方のます本体と内かごの合致した大きい排水孔より抵抗なく地中に排出されてゆくことになり、地中の排水経路の目詰まりが大幅に改善され、雨水の地中への長期的な浸透性能の維持が可能である。
【０００８】
【発明の実施の形態】
以下に図面を参照して実施の形態を説明する。
図１は、本発明の雨水浸透ますの一例を示す半部断面、半部側面図である。
図１において、雨水浸透ます１０は、有底のます本体１の上方の周壁部１１に雨水の流入側接続部２と、この流入側接続部２と対向する周壁部１１に雨水の流出側接続部３とが設けられた構造となっている。
尚、このます本体１は、上側本体１ａと有底の筒状の下側本体１ｂとにより構成され、上記下側本体１ｂの下方寄りに泥溜め部１２が形成された構造となっている。
【０００９】
上記泥溜め部１２の周壁には多数の排水孔１１ａ、１１ａ、・・・が設けられている。
又、ます本体１の内側には有底の内かご４が、ます本体１の上方のマンホール蓋（図示しない）用の開口１３より出し入れ可能に挿通されて設けられており、この内かご４の周壁の下方寄りには多数の排水孔４ａ、４ａ、・・・が設けられている。
【００１０】
上記のます本体１の泥溜め部１２の排水孔１１ａ、１１ａ、・・・、及び内かご４の排水孔４ａ、４ａ、・・・の直径は下方側が小さく、上方にいくに従って徐々に拡大されている。
【００１１】
且つ、ます本体１の排水孔１１ａ、１１ａ、・・・と、内かご４の排水孔４ａ、４ａ、・・・とは、下方側が互いにずれた位置に千鳥状に配設され、上方側が重なる位置にくるように配設されている
【００１２】
即ち、上記排水孔１１ａ、１１ａ、・・・と、内かご４の排水孔４ａ、４ａ、・・・とは、図２の平面展開図に示すようなレイアウトとなっている。
図２は、泥溜め部１２を内側より見た平面展開であり、平面視において手前側が内かご４の周壁、向こう側がます本体１の周壁である。
図において、泥溜め部１２のほぼ上半部は雨水の浸透部Ａで、下半部が泥やゴミの堆積部Ｂとなっている。
【００１３】
上記浸透部Ａでは、千鳥状に配設された排水孔１１ａ、１１ａ、・・・と、内かご４の排水孔４ａ、４ａ、・・・とは合致しており、且つ、下方に行くに従って徐々にその直径が小さくなっている。
又、下半部の堆積部Ｂでは、千鳥状に配設された排水孔１１ａ、１１ａ、・・・と、内かご４の排水孔４ａ、４ａ、・・・とは、互いにずれた位置に配設され、且つ、下方に行くに従って徐々にその直径が小さくなっている。
【００１４】
上記排水孔４ａ、１１ａの大きさは、１ｍｍ程度〜２０ｍｍ程度の範囲で任意に設定することができる。
【００１５】
ます本体１の中央部には、流入側接続部２と流出側接続部３と直交する方向に整流板１ｃが設けられており、流入水と流出水との混流や乱流の発生を防止するように配慮されている。
【００１６】
以上説明のように、本発明の雨水浸透ます１０においては、ます本体１の排水孔１１ａ、１１ａ、・・・と、内かご４の排水孔４ａ、４ａ、・・・との直径は下方側が小さく、上方にいくに従って大きくなっているので、雨水に混入された泥やゴミは、下方の堆積部Ｂの小さい直径の排水孔４ａ、４ａ、・・・や排水孔１１ａ、１１ａからは排出されにくく、下方に堆積されることになる。
【００１７】
更に、ます本体１の排水孔１１ａ、１１ａ、・・・と、内かご４の排水孔４ａ、４ａ、・・・とは、下方側の堆積部Ｂが互いにずれた位置に千鳥状に配設され、上方側の浸透部Ａが重なる位置に千鳥状に配設されているので、雨水と一緒に流入した泥やゴミは内かご４及びます本体１の周壁部に堰き止められて直接地中に排出されることなく、内かご４、及び少なくともます本体１の泥溜め部１２に滞留されることになり、地中への泥やゴミの排出が激減される。
【００１８】
従って、ます本体１の泥溜め部１２の下部の堆積部Ｂには確実に泥やゴミが集積され、上澄水は上方の浸透部Ａのます本体１と内かご４の合致した位置にある大きい排水孔１１ａ、１１ａ、・・・と、排水孔４ａ、４ａ、・・・とを抵抗なく通過して、地中に排出されてゆくことが可能である。
【００１９】
【発明の効果】
本発明の雨水浸透ますにおいては、ます本体の排水孔と内かごの排水孔の直径は下方側が小さく、上方にいくに従って徐々に大きくなり、且つ、ます本体の排水孔と内かごの排水孔とは、下方側が互いにずれた位置に配設され、上方側が重なる位置に配設されているので、内かごの下方の小さい排水孔から雨水と一緒に排出された泥やゴミは直接地中に排出されることなくます本体の周壁部に干渉されて、外側のます本体の泥溜め部に滞留され、地中への泥やゴミの排出が激減される。  従って、ます本体の泥溜め部の下部には確実に泥やゴミが集積され、上澄水が上方のます本体と内かごの合致した大きい排水孔より抵抗なく地中に排出されてゆくことになり、地中の排水経路の目詰まりが大幅に改善され、雨水の地中への長期的な浸透性能の維持が可能である。
従って、雨水浸透ますとして好適に用いられる。
【図面の簡単な説明】
【図１】本発明の雨水浸透ますの一例を示す半部断面、半部側面図。
【図２】泥溜め部の平面展開図。
【符号の説明】
１                            ます本体
１ａ                          上側本体
１ｂ                          下側本体
１ｃ                          開口
２                            流入側接続部
３                            流出側接続部
４                            内かご
４ａ、１１ａ                  排水孔
１２                          泥溜部
１３                          開口
１１                          フランンジ部
１１ａ                        框
１１ｂ                        垂下片
２                            洗い場
２１                          立上部
２１ａ                        第一水平片
２１ｂ                        立上片
２１ｃ                        第二水平部
３、５                        充填材
４                            保護材
Ａ                            浸透部
Ｂ                            堆積部
【図１】
0003634042.tif 000002
【図２】
0003634042.tif 000003